(57)【要約】【課題】画質を低下させることなく表示画像についての表示態様の円滑な表示切替を実現し得る表示制御装置を提供する。【解決手段】デジタルカメラ３によって送信された画像データＤｐを受信する通信部１１と、通信部１１によって受信された画像データＤｐを記憶するＲＡＭ１２と、ＲＡＭ１２に記憶されている画像データＤｐに基づく表示画像を表示させるための表示用画像データＤｄを生成して表示部１４に出力する表示制御部１６とを備えた表示制御装置であって、通信部１１は、デジタルカメラ３によって送信された表示画像の表示態様を指示する制御信号Ｓ３を受信可能に構成され、表示制御部１６は、通信部１１によって受信された制御信号Ｓ３に従い、ＲＡＭ１２に記憶されている画像データＤｐに対して所定の画像処理を実行することによって表示用画像データＤｄを生成する。【選択図】        図１
2004163815.tif 000002
【特許請求の範囲】
【請求項１】
外部装置によって送信された画像データを受信する制御装置側通信部と、当該制御装置側通信部によって受信された前記画像データを記憶する制御装置側記憶部と、当該制御装置側記憶部に記憶されている前記画像データに基づく表示画像を表示させるための表示用画像データを生成して表示部に出力する表示制御部とを備えた表示制御装置であって、
前記制御装置側通信部は、前記外部装置によって送信された前記表示画像の表示態様を指示する制御信号を受信可能に構成され、
前記表示制御部は、前記制御装置側通信部によって受信された前記制御信号に従い、前記制御装置側記憶部に記憶されている前記画像データに対して所定の画像処理を実行することによって前記表示用画像データを生成する表示制御装置。
【請求項２】
前記表示制御部は、前記所定の画像処理として、画像拡大処理、画像縮小処理および画像回転処理のうちの１つ以上を実行可能に構成されている請求項１記載の表示制御装置。
【請求項３】
前記外部装置に対して前記画像データの送信を要求するための画像データ送信要求ボタンを有する制御装置側操作部を備え、
前記表示制御部は、前記画像データ送信要求ボタンが操作されたときに、前記制御装置側通信部に対して前記画像データの送信を要求するデータ送信要求信号を前記外部装置に向けて送信させる請求項１または２記載の表示制御装置。
【請求項４】
前記制御装置側操作部は、前記制御装置側通信部、前記制御装置側記憶部および前記表示制御部が収容された制御装置本体とは別体に形成されて、操作ボタンの操作に応じて所定の操作信号を出力することによって前記表示制御部を遠隔操作可能に構成されている請求項３記載の表示制御装置。
【請求項５】
請求項１から４のいずれかに記載の表示制御装置と、前記表示部とを備えている画像表示装置。
【請求項６】
画像データを記憶する電子機器側記憶部と、当該電子機器側記憶部に記憶されている前記画像データを外部装置に送信する電子機器側通信部と、当該電子機器側通信部に対して前記外部装置に向けて前記画像データを送信させる電子機器側制御部とを備えた電子機器であって、
前記画像データに基づく表示画像の表示態様を指示するための操作ボタンを有する電子機器側操作部を備え、
前記電子機器側通信部は、前記表示態様を指示する制御信号を送信可能に構成され、
前記電子機器側制御部は、前記操作ボタンが操作されたときに、前記電子機器側通信部に対して当該操作された操作ボタンに応じた前記制御信号を前記外部装置に向けて送信させる電子機器。
【請求項７】
前記電子機器側通信部は、前記外部装置によって送信されたデータ送信要求信号を受信可能に構成され、
前記電子機器側制御部は、前記電子機器側通信部によって前記データ送信要求信号が受信されたときに、当該データ送信要求信号によって指示された前記画像データを前記電子機器側記憶部から読み出して前記電子機器側通信部に対して前記外部装置に向けて送信させる請求項６記載の電子機器。
【請求項８】
撮像対象を撮像する撮像部を備えた撮像装置であって、前記電子機器側制御部は、前記撮像部によって撮像された前記画像データを前記電子機器側記憶部に記憶させる請求項６または７記載の電子機器。
【請求項９】
請求項５記載の画像表示装置と、請求項６から８のいずれかに記載の電子機器とを備えている画像表示システム。
【発明の詳細な説明】
【０００１】
【発明の属する技術分野】
本発明は、外部装置によって送信された画像データに基づく表示画像を表示部に表示可能に構成された表示制御装置、その表示制御装置を備えた画像表示装置、外部装置に画像データを送信可能に構成された電子機器、およびその画像表示装置とその電子機器とを備えた画像表示システムに関するものである。
【０００２】
【従来の技術】
例えばディジタルカメラなどの電子機器は、撮像（生成）した画像データ（ディジタルデータ）に基づいてＮＴＳＣ（Ｎａｔｉｏｎａｌ  ＴＶ  Ｓｔａｎｄａｒｄｓ  Ｃｏｍｍｉｔｔｅｅ  ）信号などのアナログ画像信号を生成して出力することにより、テレビやプロジェクタ等の外部の画像表示装置に対して画像データに基づく表示画像を表示可能に構成されている。しかし、このアナログ画像信号による表示方法では、たとえ画像データが高解像度であったとしても最終的にアナログ画像信号によって画像を表示するため、高画質の表示画像を表示させることができないという問題点がある。この解決手段として、近年では、ＵＳＢ（Ｕｎｉｖｅｒｓａｌ  Ｓｅｒｉａｌ  Ｂｕｓ）インターフェース、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース、およびＩｒＤＡ（Ｉｎｆｒａｒｅｄ  Ｄａｔａ  Ａｓｓｏｃｉａｔｉｏｎ  ）インターフェースなどのディジタルインターフェースを備えた電子機器および画像表示装置（一例として、特開２００１−８３９４８号公報に開示されているＩｒＤＡインターフェースを備えた表示装置１）が開発されている。この場合、電子機器で撮像した画像データをディジタルインターフェースを介して画像表示装置に送信することにより、ディジタルデータに基づく高画質の表示画像を表示させることが可能となっている。
【０００３】
また、近年の電子機器は、拡大、縮小および回転などの表示画像の表示態様を変化させる機能を備えている。ここで、例えば、表示画像を拡大させる際には、電子機器が画像データに対して所定の画像処理を実行することによって拡大した表示画像を表示させるための表示用画像データを生成して画像表示装置に送信し、画像表示装置がその表示用画像データを受信して拡大した表示画像を表示する。このように、この画像表示装置および電子機器を用いることにより、その表示態様を変化させつつ高画質の表示画像を表示させることができる。したがって会議や授業などの様々な使用形態でこの画像表示装置および電子機器を有効に活用することが可能となっている。
【０００４】
【特許文献１】
特開２００１−８３９４８号公報（第３頁）
【０００５】
【発明が解決しようとする課題】
ところが、従来の画像表示装置および電子機器には、以下の問題点がある。すなわち、この画像表示装置および電子機器では、例えば、表示画像を拡大させる際に、拡大した表示画像を表示させるための表示用画像データを電子機器が生成して画像表示装置に送信している。しかし、高画質の表示画像を表示させるための表示用画像データのデータサイズが大きくなるため、送信にやや長い時間を要する結果、電子機器での操作後やや遅れて表示画像が表示される。したがって、表示画像の表示態様を変化させる操作を頻繁に行う際に、その都度大きなサイズの表示用画像データを送信する結果、表示画像の表示遅れが顕著となり円滑な表示切替が困難であるという問題点が存在する。一方、従来のアナログ画像信号による表示方法によれば比較的円滑に表示切替を行うことができるものの、高画質の画像を表示するのが困難である。
【０００６】
本発明は、かかる問題点に鑑みてなされたものであり、画質を低下させることなく表示画像についての表示態様の円滑な表示切替を実現し得る画像表示システムを提供するために、その画像表示システムを形成するための表示制御装置、画像表示装置、およびその表示制御装置またはその画像表示装置に接続される電子機器を提供することを主目的とする。
【０００７】
【課題を解決するための手段】
上記目的を達成すべく本発明に係る表示制御装置は、外部装置によって送信された画像データを受信する制御装置側通信部と、当該制御装置側通信部によって受信された前記画像データを記憶する制御装置側記憶部と、当該制御装置側記憶部に記憶されている前記画像データに基づく表示画像を表示させるための表示用画像データを生成して表示部に出力する表示制御部とを備えた表示制御装置であって、前記制御装置側通信部は、前記外部装置によって送信された前記表示画像の表示態様を指示する制御信号を受信可能に構成され、前記表示制御部は、前記制御装置側通信部によって受信された前記制御信号に従い、前記制御装置側記憶部に記憶されている前記画像データに対して所定の画像処理を実行することによって前記表示用画像データを生成する。
【０００８】
また、本発明に係る表示制御装置は、上記の表示制御装置において、前記表示制御部は、前記所定の画像処理として、画像拡大処理、画像縮小処理および画像回転処理のうちの１つ以上を実行可能に構成されている。
【０００９】
また、本発明に係る表示制御装置は、上記の表示制御装置において、前記外部装置に対して前記画像データの送信を要求するための画像データ送信要求ボタンを有する制御装置側操作部を備え、前記表示制御部は、前記画像データ送信要求ボタンが操作されたときに、前記制御装置側通信部に対して前記画像データの送信を要求するデータ送信要求信号を前記外部装置に向けて送信させる。
【００１０】
さらに、本発明に係る表示制御装置は、上記の表示制御装置において、前記制御装置側操作部は、前記制御装置側通信部、前記制御装置側記憶部および前記表示制御部が収容された制御装置本体とは別体に形成されて、操作ボタンの操作に応じて所定の操作信号を出力することによって前記表示制御部を遠隔操作可能に構成されている。
【００１１】
また、本発明に係る画像表示装置は、上記の表示制御装置と、前記表示部とを備えている。
【００１２】
また、本発明に係る電子機器は、画像データを記憶する電子機器側記憶部と、当該電子機器側記憶部に記憶されている前記画像データを外部装置に送信する電子機器側通信部と、当該電子機器側通信部に対して前記外部装置に向けて前記画像データを送信させる電子機器側制御部とを備えた電子機器であって、前記画像データに基づく表示画像の表示態様を指示するための操作ボタンを有する電子機器側操作部を備え、前記電子機器側通信部は、前記表示態様を指示する制御信号を送信可能に構成され、前記電子機器側制御部は、前記操作ボタンが操作されたときに、前記電子機器側通信部に対して当該操作された操作ボタンに応じた前記制御信号を前記外部装置に向けて送信させる。
【００１３】
さらに、本発明に係る電子機器は、上記の電子機器において、前記電子機器側通信部は、前記外部装置によって送信されたデータ送信要求信号を受信可能に構成され、前記電子機器側制御部は、前記電子機器側通信部によって前記データ送信要求信号が受信されたときに、当該データ送信要求信号によって指示された前記画像データを前記電子機器側記憶部から読み出して前記電子機器側通信部に対して前記外部装置に向けて送信させる。
【００１４】
また、本発明に係る電子機器は、上記の電子機器において、撮像対象を撮像する撮像部を備えた撮像装置であって、前記電子機器側制御部は、前記撮像部によって撮像された前記画像データを前記電子機器側記憶部に記憶させる。
【００１５】
また、本発明に係る画像表示システムは、上記の画像表示装置と、上記の電子機器とを備えている。
【００１６】
【発明の実施の形態】
以下、添付図面を参照して、本発明に係る画像表示システムの好適な実施の形態について説明する。
【００１７】
最初に、画像表示システム１の構成について、図面を参照して説明する。
【００１８】
画像表示システム１は、図１に示すように、画像表示装置２およびディジタルカメラ３を備えて構成されている。画像表示装置２は、本発明における表示制御装置と表示部とで構成され、通信部（制御装置側通信部）１１、ＲＡＭ１２、ＲＯＭ１３、表示部１４、操作部（制御装置側操作部）１５および表示制御部１６を備えて構成されている。この場合、通信部１１、ＲＡＭ１２、ＲＯＭ１３、表示部１４および表示制御部１６は、図２に示す画像表示装置本体（制御装置本体）２ａに収納されている。通信部１１は、例えば、ＵＳＢインターフェース、ＩＥＥＥ１３９４インターフェースおよびＩｒＤＡインターフェースなどのディジタルデータ（ディジタル信号）を送受信可能なディジタルインターフェースを備えて構成されている。この場合、通信部１１は、これらのディジタルインターフェースうちのいずれかを介してディジタルカメラ３によって送信された画像データＤｐおよび制御信号Ｓ３を受信して表示制御部１６に出力する。また、通信部１１は、表示制御部１６によって出力されたデータ送信要求信号Ｓ１をディジタルカメラ３に送信する。さらに、通信部１１は、赤外線受光素子を備え、操作部１５によって出力された赤外線操作信号（操作信号）Ｓ２を受信して表示制御部１６に出力する。ＲＡＭ１２は、本発明における制御装置側記憶部に相当し、通信部１１によって受信されて表示制御部１６によって転送された画像データＤｐを記憶する。ＲＯＭ１３は、表示制御部１６による画像処理用のプログラムなどのプログラムを記憶する。表示部１４は、例えばＬＣＤ（Ｌｉｑｕｉｄ  Ｃｒｙｓｔａｌ  Ｄｉｓｐｌａｙ）を備えて構成され、表示制御部１６の制御下で例えば図２に示す表示画像Ｇ１（以下、画像の内容を区別しないときには、単に「表示画像Ｇ」ともいう）を表示する。
【００１９】
操作部１５は、いわゆるリモートコントローラであって、図２に示すように、画像表示装置本体２ａとは別体に形成されると共に画像表示装置本体２ａに脱着可能に構成されている。また、操作部１５は、図２に示すように、表示画像Ｇを拡大して表示させるための拡大ボタンＢ１、表示画像Ｇを縮小して表示させるための縮小ボタンＢ２、表示画像Ｇを回転して表示させるための回転ボタンＢ３、およびディジタルカメラ３に対して画像データＤｐの送信を要求するための画像データ送信要求ボタンＢ４（同図に示す「前」および「次」の文字が付された一対のボタン）などの各種操作ボタンが配設されて構成されている。この場合、操作部１５は、各操作ボタンが操作された際に、赤外線操作信号Ｓ２を出力する。表示制御部１６は、画像表示装置２を統括的に制御すると共に、通信部１１によって受信された画像データＤｐをＲＡＭ１２に転送して記憶させる。また、表示制御部１６は、通信部１１によって受信された制御信号Ｓ３に従って画像データＤｐに対して画像処理を実行することにより、表示部１４の表示エリアに応じたサイズの表示画像Ｇを表示させるための表示用画像データＤｄを生成して表示部１４に出力する。この場合、表示制御部１６は、「拡大」、「縮小」および「回転」などの指示が制御信号Ｓ３に含まれているときには、画像データＤｐに対して画像拡大処理、画像縮小処理および画像回転処理などの画像処理を瞬時に実行して、画像データＤｐに基づく表示画像Ｇの表示態様を変化させた表示画像Ｇ（例えば、図３に示す表示画像Ｇ３や図５に示す表示画像Ｇ９）を表示部１４に表示させる。また、表示制御部１６は、操作部１５の画像データ送信要求ボタンＢ４が操作されたときに、通信部１１に対してデータ送信要求信号Ｓ１をディジタルカメラ３に向けて送信させる。
【００２０】
一方、ディジタルカメラ３は、本発明における電子機器に相当し、図１に示すように、撮像部２１、ＲＯＭ２２，２３、表示部２４、操作部（電子機器側操作部）２５、通信部（電子機器側通信部）２６および制御部２７を備えて構成されている。撮像部２１は、被写体（撮像対象）の光学画像を集光する撮像用レンズ、集光された光学画像を電気信号に変換する例えばＣＣＤ（Ｃｈａｒｇｅ  Ｃｏｕｐｌｅｄ  Ｄｅｖｉｃｅ）などの光電変換素子、および電気信号をアナログ−ディジタル変換して画像データＤｐを出力するＡ／Ｄ変換回路などを備えて構成されている。ＲＯＭ２２は、本発明における電子機器側記憶部に相当し、ＥＰＲＯＭ等の不揮発性メモリで構成され、撮像部２１によって出力されて表示制御部１６によって転送された画像データＤｐを記憶する。この場合、ディジタルカメラ３の本体とは別体で、かつ本体に脱着可能なＲＯＭ２２を採用することもできる。ＲＯＭ２３は制御部２７の制御プログラムを記憶する。
【００２１】
表示部２４は、例えば、ＬＣＤを備えて構成され、図２に示す表示画像Ｇ２を表示する。操作部２５は、同図に示すように、シャッターボタン、拡大ボタンＢ１１および縮小ボタンＢ１２などの各種撮像用の操作ボタンや、表示画像Ｇを回転して表示させるための回転ボタンＢ１３、表示させる表示画像Ｇを選択するための画像選択ボタンＢ１４、および画像データＤｐを画像表示装置２に送信させるための送信ボタンＢ１５などの各種操作ボタンが配設されて構成されている。この場合、拡大ボタンＢ１１は、撮像された画像を表示する際に、表示画像Ｇを拡大して表示させるためのボタンとしても機能し、縮小ボタンＢ１２は、表示画像Ｇを縮小して表示させるめのボタンとしても機能する。また、操作部２５は、各操作ボタンが操作された際に、操作信号Ｓ４を出力する。通信部２６は、ＵＳＢインターフェース、ＩＥＥＥ１３９４インターフェースおよびＩｒＤＡインターフェースなどのディジタルインターフェースを備えて構成され、制御部２７の制御下で画像データＤｐや制御信号Ｓ３を画像表示装置２に送信する。また、通信部２６は、画像表示装置２によって送信されたデータ送信要求信号Ｓ１を受信して制御部２７に出力する。
【００２２】
制御部２７は、本発明における電子機器側制御部に相当し、ディジタルカメラ３を統括的に制御すると共に、操作部２５によって出力された操作信号Ｓ４、および画像表示装置２によって送信されたデータ送信要求信号Ｓ１に従い、通信部１１に対して画像データＤｐを画像表示装置２に向けて送信させる。また、制御部２７は、通信部２６に対して、画像処理を実行させるための制御信号Ｓ３を画像表示装置２に向けて送信させる。この場合、制御部２７は、操作部２５の拡大ボタンＢ１１が操作されたときには、表示画像Ｇを拡大させる指示を制御信号Ｓ３に含ませる。また、制御部２７は、縮小ボタンＢ１２が操作されたときには、表示画像Ｇを縮小させる指示を制御信号Ｓ３に含ませ、回転ボタンＢ１３が操作されたときには、表示画像Ｇを回転させる指示を制御信号Ｓ３に含ませる。
【００２３】
次に、画像表示システム１の全体的な動作について、図面を参照して説明する。
【００２４】
まず、ディジタルカメラ３を撮像モードに切り替えて被写体を撮像する。この際に、撮像部２１が被写体の光学画像を画像データＤｐに変換して出力し、制御部２７が画像データＤｐをＲＯＭ２２に記憶させる。一方、撮像した被写体の表示画像Ｇ（例えば図２に示す表示画像Ｇ２）を画像表示装置２に表示させる際には、例えば、ディジタルカメラ３の通信部２６、および画像表示装置２の通信部１１にそれぞれ配設されているＩＥＥＥ１３９４インターフェースの各接続端子同士を図２に示す通信ケーブル４によって接続する。この場合、ＩＥＥＥ１３９４インターフェースに代えてＵＳＢインターフェースまたはＩｒＤＡインターフェースを使用することもできる。次いで、ディジタルカメラ３を画像再生モードに切り替える。この際に、制御部２７は、図２に示すように、画像データＤｐに基づく表示画像Ｇ２を表示部２４に表示させる。ここで、複数の画像データＤｐがＲＯＭ２２に記憶されているときには、操作部２５を操作して、図３に示すように、各画像データＤｐにそれぞれ基づく複数の表示画像Ｇ（例えば、同図に示す表示画像Ｇ４〜Ｇ７）を表示部２４に表示させる。
【００２５】
続いて、操作部２５の送信ボタンＢ１５を操作する。この場合、表示部２４に複数の表示画像Ｇが表示されているときには、操作部２５の画像選択ボタンＢ１４を操作して表示する表示画像Ｇを選択した後に、送信ボタンＢ１５を操作する。これに応じて、操作部２５が操作信号Ｓ４を出力し、制御部２７が操作信号Ｓ４に従って通信部２６に対して表示画像Ｇに対応する画像データＤｐを画像表示装置２に向けて送信させる。次に、画像表示装置２の通信部１１が、ディジタルカメラ３によって送信された画像データＤｐを受信する。次いで、表示制御部１６が、通信部１１によって受信された画像データＤｐをＲＡＭ１２に記憶させる。続いて、表示制御部１６は、画像データＤｐに対して画像処理を実行することによって表示用画像データＤｄを生成して表示部１４に出力する。次いで、表示部１４が、表示用画像データＤｄに基づく表示画像Ｇ１を表示する。これにより、図２に示すように、高画質の表示画像Ｇ１が表示部１４に表示される。
【００２６】
次に、図３に示すように、表示部２４に表示されている表示画像Ｇ４（図２に示す表示画像Ｇ２の縮小画像）の中央部を拡大した表示画像Ｇ３を表示させる際には、ディジタルカメラ３における操作部２５の拡大ボタンＢ１１を操作する。この際に、操作部２５は、操作信号Ｓ４を出力する。次いで、制御部２７は、操作信号Ｓ４の出力に応じて、通信部２６に対して制御信号Ｓ３を画像表示装置２に送信させる。この場合、制御信号Ｓ３には、表示画像Ｇ４を拡大して表示させる旨の指示が含まれている。続いて、画像表示装置２の通信部１１が送信された制御信号Ｓ３を受信する。ここで、制御信号Ｓ３のデータサイズが小さいため、制御信号Ｓ３の送受信が瞬時に完了する。次に、表示制御部１６が、通信部１１によって受信された制御信号Ｓ３に従い、ＲＡＭ１２に記憶されている画像データＤｐ（表示画像Ｇ２に対応する画像データＤｐ）を読み込むと共に、読み込んだ画像データＤｐに対して画像処理（拡大処理）を実行して表示画像Ｇ３を表示させるための表示用画像データＤｄを生成して表示部１４に出力する。これにより、図３に示すように、表示部１４が、表示画像Ｇ４の中央部を拡大した高画質の表示画像Ｇ３を表示する。この場合、制御信号Ｓ３の送受信が瞬時に完了しているため、ディジタルカメラ３における拡大ボタンＢ１１の操作時点から極めて短時間で表示画像Ｇ３が表示される。
【００２７】
続いて、表示画像Ｇ３を縮小した表示画像Ｇ（つまり、図２に示す表示画像Ｇ１）を表示させる際には、ディジタルカメラ３における操作部２５の縮小ボタンＢ１２を操作する。この際に、制御部２７は、操作部２５から出力される操作信号Ｓ４に応じて、通信部２６に対して制御信号Ｓ３を画像表示装置２に向けて送信させる。この場合、制御信号Ｓ３には、表示画像Ｇ３を縮小して表示させる旨の指示が含まれている。次いで、画像表示装置２の表示制御部１６は、制御信号Ｓ３に従い、ＲＡＭ１２に記憶されている画像データＤｐを読み込むと共に、読み込んだ画像データＤｐに対して画像処理（縮小処理）を実行することによって表示画像Ｇ１を表示させるための表示用画像データＤｄを生成して表示部１４に出力する。次いで、表示部１４が、表示用画像データＤｄに基づく表示画像Ｇ１を表示する。ここで、上記した画像処理（拡大処理、縮小処理および後述する回転処理など）が瞬時に（高速で）実行されるため、表示用画像データＤｄの生成および出力が瞬時に行われる。また、上記したように、制御信号Ｓ３の送受信は瞬時に完了する。したがって、このような拡大および縮小の操作を頻繁に繰り返したとしても、拡大または縮小された各表示画像Ｇが各操作時点から瞬時に表示されるため、表示画像Ｇについての表示態様を円滑に表示切替しつつ高画質の表示画像Ｇを表示することができる。
【００２８】
次に、表示画像Ｇ１に代えて、図４に示す表示画像Ｇ５を画像表示装置２に表示させる際には、ディジタルカメラ３における操作部２５の画像選択ボタンＢ１４を操作して表示画像Ｇ５を選択した後に、送信ボタンＢ１５を操作する。この際に、制御部２７は、操作部２５から出力された操作信号Ｓ４に応じて、ＲＯＭ２２から表示画像Ｇ５に対応する画像データＤｐを読み込むと共に、通信部２６に対して読み込んだ画像データＤｐを画像表示装置２に向けて送信させる。この場合、ディジタルカメラ３の操作部２５における画像選択ボタンＢ１４および送信ボタンＢ１５の操作に代えて、画像表示装置２の操作部１５における画像データ送信要求ボタンＢ４の操作によって表示画像Ｇ５に対応する画像データＤｐを送信させることもできる。この際には、操作部１５が画像データ送信要求ボタンＢ４の操作に応じて赤外線操作信号Ｓ２を出力し、表示制御部１６が赤外線操作信号Ｓ２に応じて通信部１１に対してデータ送信要求信号Ｓ１をディジタルカメラ３に向けて送信させる。一方、ディジタルカメラ３の制御部２７は、通信部２６によって受信されたデータ送信要求信号Ｓ１に応じて、ＲＯＭ２２から表示画像Ｇ５に対応する画像データＤｐを読み込むと共に通信部２６に対して読み込んだ画像データＤｐを画像表示装置２に向けて送信させる。
【００２９】
続いて、画像表示装置２の表示制御部１６は、通信部１１によって受信された画像データＤｐをＲＡＭ１２に記憶させる。次に、表示制御部１６は、画像データＤｐに対して画像処理を実行することによって表示用画像データＤｄを生成して表示部１４に出力する。これにより、図４に示すように、高画質の表示画像Ｇ８が表示部１４に表示される。
【００３０】
一方、図５に示すように、ディジタルカメラ３の表示部２４に表示されている表示画像Ｇ５を９０度回転させた表示画像Ｇ９を表示させる際には、ディジタルカメラ３の操作部２５における回転ボタンＢ１３を操作する。この際に、制御部２７は、操作部２５から出力された操作信号Ｓ４に応じて、通信部２６に対して制御信号Ｓ３を画像表示装置２に向けて送信させる。この場合、制御信号Ｓ３には、表示画像Ｇ５を９０度回転させる旨の指示が含まれている。次に、画像表示装置２の通信部１１が制御信号Ｓ３を受信する。この際に、上記したように、制御信号Ｓ３は瞬時に送受信される。次いで、表示制御部１６は、受信された制御信号Ｓ３に従って、ＲＡＭ１２に記憶されている表示画像Ｇ５に対応する画像データＤｐを読み込む。続いて、表示制御部１６は、読み込んだ画像データＤｐに対して画像処理（回転処理）を実行することにより、表示画像Ｇ９を表示させるための表示用画像データＤｄを生成して表示部１４に出力する。これにより、図５に示すように、表示画像Ｇ５を９０度回転させた高画質の表示画像Ｇ９が極めて迅速かつ円滑に表示部１４に表示される。
【００３１】
この場合、ディジタルカメラ３の操作部２５における回転ボタンＢ１３の操作に代えて、画像表示装置２の操作部１５における回転ボタンＢ３の操作によって表示画像Ｇ９を表示させることもできる。この際には、通信部１１が操作部１５によって出力された赤外線操作信号Ｓ２を受信し、表示制御部１６が、受信した赤外線操作信号Ｓ２に応じて、ＲＡＭ１２に記憶されている表示画像Ｇ５に対応する画像データＤｐを読み込む。次に、表示制御部１６は、上記した画像処理（回転処理）を実行する。この場合、赤外線操作信号Ｓ２のデータサイズが小さいため、瞬時に送受信が完了する。したがって、この操作によっても高画質の表示画像Ｇ９が極めて迅速かつ円滑に表示部１４に表示される。
【００３２】
このように、この画像表示システム１によれば、ディジタルカメラ３によって送信されて通信部１１を介して受信した制御信号Ｓ３に従い、表示制御部１６が、ＲＡＭ１２に記憶されている画像データＤｐに対して拡大、縮小および回転などの画像処理を実行することにより、画像データＤｐを画像表示装置２に送信した状態では、小さいデータサイズの制御信号Ｓ３を送信すればよいため、高画質の表示画像Ｇを表示しつつ、操作時点から極めて短時間のうちに表示態様を円滑に変化させることができる。
【００３３】
また、画像表示装置２における操作部１５の画像データ送信要求ボタンＢ４が操作されたときに、表示制御部１６が通信部１１に対してディジタルカメラ３に向けてデータ送信要求信号Ｓ１を送信させ、ディジタルカメラ３の制御部２７がデータ送信要求信号Ｓ１を受信したときに通信部２６に対して画像データＤｐを画像表示装置２に向けて送信させることにより、画像表示装置２側において操作することでディジタルカメラ３に対して画像データＤｐを画像表示装置２に送信させることができる。したがって、画像表示装置２およびディジタルカメラ３のいずれを操作したとしても画像データＤｐに基づく表示画像Ｇを表示させることができるため、画像表示システム１における画像表示についての操作性を向上させることができる。
【００３４】
さらに、操作部１５を画像表示装置本体２ａとは別体に形成すると共に、表示制御部１６を遠隔操作可能に構成したことにより、画像表示装置２における画像表示についての操作性をさらに向上させることができる。
【００３５】
なお、本発明は、上記した本発明の実施の形態に限定されない。例えば、上記した実施の形態では、ＬＣＤを備えた表示部１４を例に挙げて説明したが、表示部１４の構成はこれに限定されず、ＣＲＴ（Ｃａｔｈｏｄｅ  Ｒａｙ  Ｔｕｂｅ）やプラズマディスプレイなどを備えて構成することができる。また、表示部１４を画像表示装置本体２ａとは別体に構成することもできる。さらに、操作部１５を画像表示装置本体２ａと一体化して構成することもできる。また、本発明に係る画像表示装置をプロジェクタ装置に適用することもできる。
【００３６】
さらに、上記した実施の形態では、本発明に係る電子機器をディジタルカメラ３に適用した例について説明したが、本発明に係る電子機器は、ディジタルカメラに限定されず、ディジタルビデオカメラやＰＤＡ（Ｐｅｒｓｏｎａｌ  Ｄｉｇｉｔａｌ  Ａｓｓｉｓｔａｎｔ）などの各種電子機器に適用が可能である。また、上記した実施の形態では、撮像した表示画像Ｇを画像表示装置２に表示させる例について説明したが、表示させる表示画像Ｇは、これに限定されない。例えば、他の電子機器から転送してＲＯＭ２２に記憶させた画像データＤｐであってもよい。また、他の電子機器やパソコンなどによって画像データＤｐを例えば携帯可能なカード型のＲＯＭ２２に予め記憶させ、ディジタルカメラ３の本体や、撮像機能を備えていない電子機器にそのＲＯＭ２２を装着して、記憶させた画像データＤｐに基づく表示画像Ｇを画像表示装置２に表示させることもできる。
【００３７】
【発明の効果】
以上のように、本発明に係る表示制御装置、画像表示装置、電子機器および画像表示システムによれば、制御装置側通信部によって受信された制御信号に従い、表示制御部が制御装置側記憶部に記憶されている画像データに対して所定の画像処理を実行して表示用画像データを生成することにより、画像データを表示制御装置または画像表示装置に送信した状態では、小さいデータサイズの制御信号を送信すればよいため、高画質の表示画像を表示しつつ、操作時点から極めて短時間のうちに表示態様を円滑に変化させることができる。
【００３８】
また、表示制御装置または画像表示装置側で画像データ送信要求ボタンが操作されたときに、表示制御部が制御装置側通信部に対して画像データの送信を要求するデータ送信要求信号を外部装置に向けて送信させることにより、表示制御装置または画像表示装置における操作部の操作によって画像データに基づく表示画像を表示させることができるため、画像表示についての操作性を向上させることができる。
【００３９】
さらに、制御装置側操作部を制御装置本体とは別体に形成し、かつ表示制御部を遠隔操作可能に構成したことにより、表示制御装置または画像表示装置における画像表示についての操作性をさらに向上させることができる。また、撮像対象を撮像可能な撮像部を備えて電子機器を構成したことにより、撮像した表示画像を高画質で外部装置における表示部に表示させることができる。
【図面の簡単な説明】
【図１】本発明の実施の形態に係る画像表示システム１の構成を示すブロック図である。
【図２】画像表示システム１を構成する画像表示装置２およびディジタルカメラ３の正面図である。
【図３】表示画像Ｇ３を表示させている状態の画像表示装置２、および表示画像Ｇ４〜Ｇ７を表示させている状態のディジタルカメラ３の正面図である。
【図４】表示画像Ｇ８を表示させている状態の画像表示装置２、および表示画像Ｇ４〜Ｇ７を表示させている状態のディジタルカメラ３の正面図である。
【図５】表示画像Ｇ９を表示させている状態の画像表示装置２、および表示画像Ｇ４〜Ｇ７を表示させている状態のディジタルカメラ３の正面図である。
【符号の説明】
１  画像表示システム
２  画像表示装置
２ａ  画像表示装置本体
３  ディジタルカメラ
１１，２６  通信部
１２  ＲＡＭ
１４  表示部
１５，２５  操作部
１６  表示制御部
２１  撮像部
２２  ＲＯＭ
２７  制御部
Ｂ４  画像データ送信要求ボタン
Ｂ１１  拡大ボタン
Ｂ１２  縮小ボタン
Ｂ１３  回転ボタン
Ｂ１４  画像選択ボタン
Ｂ１５  送信ボタン
Ｄｄ  表示用画像データ
Ｄｐ  画像データ
Ｇ１〜Ｇ９  表示画像
Ｓ１  データ送信要求信号
Ｓ２  赤外線操作信号
Ｓ３  制御信号
【図１】
2004163815.tif 000003
【図２】
2004163815.tif 000004
【図３】
2004163815.tif 000005
【図４】
2004163815.tif 000006
【図５】
2004163815.tif 000007